(57)【要約】【課題】  閉鎖性水域などであっても生物蝟集効果を発揮することができる水性生物の生息体および護岸を提供することである。【解決手段】  水性生物の生息体１は、線材７が不規則に積層されて形成された付着材３が基盤２の一面に設けられ、前記付着材３が筒状に形成され、この付着材３は筒状の中空部４を前方または基盤表面に沿った方向に向けて設けられたものである。【選択図】図１
2005073593.tif 000002
【特許請求の範囲】
【請求項１】
線材が不規則に積層されて形成された付着材が基盤の一面に設けられてなる水性生物の生息体。
【請求項２】
付着材が筒状に形成され、この付着材は筒状の中空部を前方または基盤表面に沿った方向に向けて設けられたことを特徴とする請求項１に記載の水性生物の生息体。
【請求項３】
請求項１または２の水性生物の生息体が護岸表面に設置されたことを特徴とする護岸。
【請求項４】
線材が不規則に積層されて形成された付着材が護岸表面に設置されたことを特徴とする護岸。
【請求項５】
付着材が筒状に形成され、この付着材は筒状の中空部を前方または護岸表面に沿った方向に向けて設けられたことを特徴とする請求項４に記載の護岸。
【発明の詳細な説明】
【技術分野】
【０００１】
本発明は水性生物の生息体および護岸に関するものである。
【背景技術】
【０００２】
従来、水性生物の生息体として使用されているのは、ポーラス状のコンクリートブロックや石、砂利または鋼製構造物などが一般的である。またその他にも、例えば特開２０００−３５６２０５号公報の発明がある。
【特許文献１】特開２０００−３５６２０５号公報
【発明の開示】
【発明が解決しようとする課題】
【０００３】
しかし、上記のような生息体は、閉鎖性水域などの水域環境の悪化している箇所に構築される護岸などには適用されにくく、このような護岸などでは生物蝟集効果を発揮することが困難であった。
【０００４】
本発明は上記のような問題に鑑みてなされたものであり、その目的は、閉鎖性水域などであっても生物蝟集効果を発揮することができる水性生物の生息体および護岸を提供することである。
【課題を解決するための手段】
【０００５】
本発明の水性生物の生息体は、線材が不規則に積層されて形成された付着材が基盤の一面に設けられたことを特徴とする。また付着材が筒状に形成され、この付着材は筒状の中空部を前方または基盤表面に沿った方向に向けて設けられたことを含むものである。
また護岸は、線材が不規則に積層されて形成された付着材が基盤の一面に設けられて構成された水性生物の生息体、または線材が不規則に積層されて形成された付着材が筒状に形成され、この付着材は筒状の中空部を前方または基盤表面に沿った方向に向けて設けられた水性生物の生息体が、護岸表面に設置されたことを特徴とする。
また護岸は、線材が不規則に積層されて形成された付着材が護岸表面に設置されたことを特徴とする。また付着材が筒状に形成され、この付着材は筒状の中空部を前方または護岸表面に沿った方向に向けて設けられたことを含むものである。
【発明の効果】
【０００６】
水性生物の生息体を既存のコンクリート製の護岸や鋼矢板護岸などに簡単に設置することができる。またポーラス状のコンクリートブロックよりも生物蝟集効果を発揮するので、付着性生物が多く付着し、この付着性生物の空隙に生息するカニなどの移動性小動物やそれを餌とする魚類などが集まることにより、多様な生物相の形成および多様な護岸が形成される。したがって、閉鎖性水域などであっても生物蝟集効果を発揮することができる。
【発明を実施するための最良の形態】
【０００７】
合成樹脂製の線材が不規則に積層されて筒状に形成された付着材が基盤の一面に、中空部を前方または表面に沿った方向に向けて設けられて水性生物の生息体が構成される。そして、この水性生物の生息体をコンクリート製の護岸または鋼矢板護岸の護岸表面に設置することにより、多様な生物相を形成することができる。
【実施例１】
【０００８】
図１は実施例１の水性生物の生息体（以下生息体という）１であり、この生息体１はコンクリート製の基盤２の一面に筒状の付着体３が適宜間隔をもって突設して構成されている。この付着体３は中空部４を基盤表面５の前方に向けた状態、すなわち基盤表面５とほぼ直交する方向に向けて基盤２に埋設されている。また付着体３は、同図の（４）に示すように、基盤の突起６に嵌合することもできる。このように基盤２に突起６を設けると付着体３を取り付けやすくなる。この付着体３はポリプロピレンを主材料とした太さ２ｍｍの合成樹脂製の線材７が不規則に積層して形成されている。このような生息体１は付着性生物が付着しやすく、しかも筒状の中空部４が付着性生物を餌とするカニや魚類などの移動性小動物の住処になる。
【０００９】
また図２は、複数の生息体１を横並びに連続的に接続したものであり、このように連続的に接続するほか、適宜間隔をもって横方向に並べて使用することもできる。
【実施例２】
【００１０】
図３は実施例２の生息体８であり、この生息体８は付着体３を中空部４が基盤表面に沿った方向に向くように適宜間隔をもって基盤２に設けたものであり、これ以外は実施例１の生息体８と同じ構成である。これも上記と同様に、基盤表面５に形成された中空部４が、カニや魚類などの移動性小動物の住処になる。
【００１１】
また図４は、上記と同様に複数の生息体８を横並びに連続的に接続したものであり、このように連続的に接続するほか、適宜間隔をもって横方向に並べて使用することもできる。
【実施例３】
【００１２】
図５は実施例３の生息体９であり、この生息体９は所定の大きさの付着体３を基盤２の一面に設けたものであり、これ以外は実施例１の生息体１と同じ構成である。これは基盤２のほぼ全面に付着体９を設けているため、付着性生物が広範囲で付着しやすくなる。
【００１３】
また図６は、上記と同様に複数の生息体９を横並びに連続的に接続したものであり、このように連続的に接続するほか、適宜間隔をもって横方向に並べて使用することもできる。
【００１４】
図７は実施例１の護岸１０であり、これは海洋に設けたコンクリート製の直立型護岸であり、護岸前面の干満帯に実施例１の生息体１を適宜間隔ごと、あるいは図２のように、連続的に並べたものである。これは既存の護岸に上記の生息体１を後から設置したものである。このように護岸前面の干満帯に付着性生物が付着しやすい付着体３を設けると、付着性生物の海水濾過作用による水質浄化効果と、付着性生物の表面に集積する小生物を餌とするカニ類や魚類が集まる多様な生物の蝟集効果とがある。さらに、筒状の付着体３が突設されたことにより波の減衰機能と、波の接触時に空気中の酸素を海水中に取り込むことによる曝気機能を発揮することができる。
【００１５】
また図８は実施例２の護岸１１であり、この護岸１１は実施例２の生息体８を護岸前面の干満帯に設置したものであり、これ以外は上記の護岸１０と同じ構成であり、同じ効果を奏するものである。
【００１６】
また図９は実施例３の護岸１２であり、この護岸１２は筒状の付着体３を護岸前面の干満帯に直接埋設したものであり、新規の護岸を構築するときに形成し、上記の護岸１０と同じ効果を奏する。なお、この付着材３は筒状の中空部４を護岸の前方に向けて設けたが、図３のように中空部４を護岸の前面に沿った方向に向けて設けることもできる。
【００１７】
なお、上記の実施例１〜３の護岸１０、１１、１２はコンクリート製の直立型護岸について説明したが、これに限らずその他の護岸、例えば鋼矢板製の護岸にも適用することもできる。
【００１８】
また、図１０は河川や湖沼などの護岸１０、１１であり、この場合は護岸の全面に生息体１、８を設ける。また、この他、図９に示すように、付着体３を護岸全面に直接埋設することもできる。
【００１９】
また図１１は本発明の生息体１、８、９と、通常のコンクリートブロックとの付着性生物と移動性生物との種類数を比較した図である。これにより本発明の生息体１、８、９がより多くの付着性生物と移動性生物を集めることができるのを確認することができた。
【産業上の利用可能性】
【００２０】
生息体を護岸前面の干渉帯の設けることにより、波の減衰作用や曝気作用による水質浄化および環境の改善に利用することができる。
【図面の簡単な説明】
【００２１】
【図１】（１）は実施例１の生息体の斜視図、（２）は基盤に設けた付着体の斜視図、（３）および（４）は生息体の一部省略断面図である。
【図２】図１の生息体を連続的に並べた斜視図である。
【図３】（１）は実施例２の生息体の斜視図、（２）は基盤に設けた付着体の斜視図、（３）は生息体の一部省略断面図である。
【図４】図３の生息体を連続的に並べた斜視図である。
【図５】（１）は実施例３の生息体の斜視図、（２）は生息体の一部省略断面図である。
【図６】図５の生息体を連続的に並べた斜視図である。
【図７】実施例１の護岸の断面図である。
【図８】実施例２の護岸の断面図である。
【図９】実施例３の護岸の断面図である。
【図１０】（１）および（２）は河川や湖沼などの護岸の断面図である。
【図１１】本発明の生息体とコンクリートブロックとの付着性生物と移動性生物との種類数を比較した図である。
【符号の説明】
【００２２】
１、８、９  生息体
２  基盤
３  付着体
４  中空部
５  基盤表面
６  突起
７  線材
１０、１１、１２  護岸
【図１】
2005073593.tif 000003
【図２】
2005073593.tif 000004
【図３】
2005073593.tif 000005
【図４】
2005073593.tif 000006
【図５】
2005073593.tif 000007
【図６】
2005073593.tif 000008
【図７】
2005073593.tif 000009
【図８】
2005073593.tif 000010
【図９】
2005073593.tif 000011
【図１０】
2005073593.tif 000012
【図１１】
2005073593.tif 000013